(57)【要約】【課題】  商品やサービス等の広告範囲の拡大を可能とするバーコード付シールを提供する。【解決手段】  表面に所定の情報を付記したＱＲコード３を有するとともに裏面に粘着部を設けたシール本体４と、粘着部に剥離可能に貼着される剥離シート５とから構成され、シール本体４は、平面視外方へと突出する突出部６を有して形成されている。【選択図】    図１
0003116339.tif 000002
【実用新案登録請求の範囲】
【請求項１】
表面に所定の情報を付記した二次元バーコードを有するとともに裏面に粘着部を設けたシール本体と、
前記粘着部に剥離可能に貼着される剥離シートとから構成され、
前記シール本体は、平面視外方へと突出する突出部を有して形成されていることを特徴とするバーコード付シール。
【請求項２】
表面に所定の情報を付記した二次元バーコードを有するとともに裏面に粘着部を設けたシール本体と、
前記粘着部に剥離可能に貼着される剥離シートとから構成され、
前記シール本体の上下方向と前記二次元バーコードの上下方向とを一致させてなることを特徴とするバーコード付シール。
【請求項３】
前記シール本体の形状は、左右対称であることを特徴とする請求項１又は２記載のバーコード付シール。
【考案の詳細な説明】
【技術分野】
【０００１】
本考案は、所定情報を表記したバーコード付シールに関するものである。
【背景技術】
【０００２】
近年、インターネットの普及に伴い、商品やサービスの詳細情報をホームページ上で開示する企業が増えてきている。そのホームページへのアクセスは、広告や雑誌等に記載されたＵＲＬ（Ｕｎｉｆｏｒｍ  Ｒｅｓｏｕｒｃｅ  Ｌｏｃａｔｏｒｓ）等を利用者がブラウザのアドレス欄に直接入力する必要がある。しかし、文字数も多く複雑なＵＲＬを正確且つ迅速に入力するのは困難であり、利用者の閲覧意欲を損ねる虞がある。そのため、広告対象の商品あるいはサービスの詳細情報が載せられている特定サイトのＵＲＬを含んだ二次元バーコード（例えば、ＱＲコード）を広告媒体に印刷し、この二次元バーコードを読取手段で撮影することによって特定のサイトに容易にアクセスできるようになってきている。
【０００３】
例えば、広告を見た利用者が広告に関する情報を知りたいときは、撮影機能を備えた携帯電話機によりＱＲコードを撮影し、該携帯電話機がＱＲコードの示す接続情報に基づいて情報センターにアクセスすることによって、利用者は、接続形態にかかわらず情報センターに簡単にアクセスして広告に関する情報を入手することができる。（特許文献１参照）
【特許文献１】特開２００２−１１８６８０号公報
【考案の開示】
【考案が解決しようとする課題】
【０００４】
上述した従来技術においては、紙等の印刷可能なものにしか二次元バーコードを載せることができないため、情報提供手段が限られてくる。
【０００５】
本考案は、上記従来の事情に鑑みてなされたもので、例えば、商品やサービス等の広告範囲の拡大を可能とするバーコード付シールを提供することを目的とする。
【課題を解決するための手段】
【０００６】
請求項１に記載の考案は、表面に所定の情報を付記した二次元バーコードを有するとともに裏面に粘着部を設けたシール本体と、粘着部に剥離可能に貼着される剥離シートとから構成され、シール本体は、平面視外方へと突出する突出部を有して形成されていることを特徴とする。
【０００７】
請求項２に記載の考案は、表面に所定の情報を付記した二次元バーコードを有するとともに裏面に粘着部を設けたシール本体と、粘着部に剥離可能に貼着される剥離シートとから構成され、シール本体の上下方向と二次元バーコードの上下方向とを一致させてなることを特徴とする。
【０００８】
請求項３に記載の考案は、請求項１又は２に記載の考案において、シール本体の形状は、左右対称であることを特徴とする。
【考案の効果】
【０００９】
請求項１の考案によれば、二次元バーコードを有するシール本体に粘着部を設けたことによって任意の箇所への貼着が可能となり、広告範囲の拡大を図ることができる。また、シール本体に平面視外方へと突出する突出部を設けたため、剥離シートからの剥離が容易となり、貼着作業を煩わせることなく迅速に行うことができる。
【００１０】
請求項２の考案によれば、二次元バーコードを有するシール本体に粘着部を設けたことによって所定箇所への貼着が可能となり、広告範囲の拡大を図ることができる。また、シール本体の上下方向と二次元バーコードの上下方向とを一致させているため、対象物に対して適切な方向に貼着させることができる。
【００１１】
請求項３の考案によれば、シール本体の形状が左右対称であることによって、左右バランスの良い粘着力で対象物に対して確実に貼り付けることができる。
【考案を実施するための最良の形態】
【００１２】
以下、本考案の第１実施形態を図１に基づいて説明する。
図１は、本発明の第１実施形態におけるバーコード付シールを示す図である。このバーコード付シール１は、表面にＱＲコード（二次元バーコード）３が印刷された紙等からなるラベル２を貼着可能にしたもので、具体的には、平面視星型を呈したラベル２と、該ラベル２の裏面に設けられる粘着部（不図示）とからなるシール本体４と、粘着部の全体を被覆するとともに該粘着部から剥離可能に設けられる剥離シート５とから構成され、シール本体４を任意の箇所へと貼着可能としたものである。
【００１３】
星型形状のラベル２は、周方向に等間隔で放射状に突出する５つの突出部６を有し、そのうちの１つの突出部６（６ａ）からラベル２の中央を通る中心線に対して左右対称な形状をなすものである。そして、ラベル２の表面中央には、前記した中心線に沿うようにして四角形状のＱＲコード３が印刷されている。ここでは、ＱＲコード３の中心とラベル２の中心とを一致させるとともに突出部６（６ａ）の上記した中心線とＱＲコード３の中心縁とを一致させており、突出部６（６ａ）側をラベル２の上方とするとその上下方向とＱＲコード３の上下方向とを一致させるようにしてＱＲコード３が設けられている。
【００１４】
ＱＲコード３には、特定の情報が付記されており、例えば、商品或いはサービス情報の詳細な説明を掲示しているホームページのＵＲＬ等が組み込まれている。利用者がホームページを閲覧する場合には、撮影機能を備えた携帯電話機やコードリーダ等を用いてＱＲコード３を読み取ることになる。
【００１５】
粘着部は、ラベル２の裏面全体に一定の厚さで設けられており、対象物に対するラベル２の貼着状態を良好に保つことのできる粘着力を有したものである。この粘着部は、一度対象物へ貼着すると剥離困難となるが、再剥離可能な擬似接着剤を用いて形成することも可能である。
【００１６】
また、このように構成されるシール本体４の使用前には、粘着部の表面に剥離容易な剥離シート５を貼り付けて粘着部を保護し、粘着力の低下防止を図る。この剥離シート５は、例えば合成樹脂製のフィルムや紙にコーティングを施したもの等から成るものでその形状や色は問わず、図１に示すような長方形に形成してもよくラベルの形状に沿って星型に形成してもよい。但しその大きさは、ラベル２の粘着部を完全に被覆できる大きさに設定して貼着部全体を保護できるようにする。剥離シート５の柔軟性は、ラベル２の材質及び硬さ等から適宜設定される。このとき、ラベルよりも若干柔軟性を有した剥離シート５を用いればラベル２を剥離シート５から剥離しやすくなる。
【００１７】
シール本体４の使用時には、粘着部から剥離シート５を剥がして適宜箇所に貼着させる。このとき、シール本体４を、そのラベル２のいずれかの突出部６から剥がすことによってスムーズに剥離シート５から剥離させることができる。また、ＱＲコード３にヨレなどが生じると正確な情報を読み取ることができなくなるため、貼着する際には、粘着部内に空気が入らないよう平坦な箇所に貼付させることが好ましい。
【００１８】
このように、ＱＲコード３を有するラベル２に粘着部を設けたことによって任意箇所への貼着が可能となり、広告範囲の拡大を図ることができる。また、ラベル２に平面視外方へと突出する突出部６を設けたことにより、摘み部分ができて剥離シート５からの剥離がさらに容易となって貼着作業を煩わせることなく迅速に行うことができる。
【００１９】
さらに、ラベル２の上下方向とＱＲコード３の上下方向とを一致させているため、対象物に対して適切に貼着させることができる。また、シール本体４の形状が左右対称であることによって左右バランスの良い粘着力で対象物に対して確実に貼り付けることができる。以上のことから、一次元バーコードに比べて精密な読み取りが必要となるＱＲコード３を対象物へ正確に貼着させることが可能となり、安定した読み取り効果を得ることができる。
【００２０】
なお、上記実施形態においては、ラベル２の形状を平面視星型としたが、図２に示すように平面視ハート型のラベル９であってもよい。このラベル９は、中心線に沿って一側が外方へ突出し、逆側が内方へ窪んだ典型的なハート形状をなしている。具体的には、一側に先端の尖った突出部２１を有し、逆側に突出部２１とは反対側に突出する一対の円形状の突出部２２を有しており、これら突出部２２，２２間には、凹部２０が形成されている。通常通り、一対の突出部２２，２２側がラベル９の上方となるため、その中心線に沿う上下方向にＱＲコード３の上下方向を一致させてＱＲコード３を印刷する。その際にラベル９の上下方向に沿う中心線とＱＲコード３の上下方向に沿う中心線とを一致させる。このようなハート型ラベル９の鋭角の突出部２１及び一対の突出部２２，２２により、上記実施形態と同様の効果を奏することができる。
【００２１】
また、図３に示すように平面視楕円形状のラベル１０であってもよい。このラベル１０は、楕円の長軸ｘ及び短軸ｙのうち長軸ｘに沿う方向の両側において外方へと突出する一対の突出部２４，２４を有した形状となっている。図３においては、短軸ｙの一方をラベル１０の上方として、短軸ｙに沿う上下方向にＱＲコード３の上下方向が一致するように該ＱＲコード３が形成されているが、一方の突出部２４側を上方として長軸ｘに沿う上下方向にＱＲコード３の上下方向を一致させるようにして形成してもよい。このように、一対の突出部２４，２４を有した楕円形状にすることによって上記実施形態と同様の効果を奏することができる。ここで、図３では楕円形状を例にして説明したが、ラベル１０が剥離し易い材質のものであれば、全周が一定の突出量を備えた広義の突出部と見なすこともできる円形状のものであってもよい。
【００２２】
また、図４に示すように、動物などをモチーフとしたキャラクターを模したラベル１１としてもよい。ここでは、熊のキャラクターが採用されており、耳や脚の部分が突出部２６となる。ＱＲコード３は、その上下方向をキャラクターの上下方向に一致させるようにして形成されている。ここで、ラベル１１は、キャラクターが正面を向いて起立した姿勢であることから誰にでもそのラベル１１の上下を判断することができるようになっている。このように、ラベル１１は、平面視においてその上下方向を判断しやすい軸性を有したキャラクター形状であることが好ましい。
【００２３】
なお、ＱＲコード３の近傍に該ＱＲコード３に付記された情報内容を記載してもよい。例えば、図５に示すラベル１８のように、ＱＲコード３の下方にＵＲＬを記載してもよい。商品やサービスの詳細を示すＵＲＬは、ホームページのメインからさらに下位の部分を示す場合が多いため多数の文字数から成り立っており、その全てを記載するとＱＲコード３の幅方向長さよりも長い表記となる場合が多い。このようなＵＲＬをＱＲコード３の下側に記載することによって外方へと突出する突出部２７を有したラベル１８を形成することができる。また、ＱＲコード３の下方にＵＲＬを記載しておくことにより、シール本体１９の上下方向を簡単に判断することができる。ここでは、ＱＲコード３に基づいてＵＲＬだけでなく商品名や社名、アドレス等あらゆる情報を表記することが可能である。
【００２４】
図６は、本考案の第２実施形態におけるバーコード付シール１４を示す図である。
本実施形態が、第１実施形態と異なる点は、ラベル１５の表面における任意箇所にＱＲコード３が印刷されていることである。図６に示すラベル１５は、携帯電話の斜視図をデザインした形状となっており、その上下方向を特定しにくい。そのため、ラベル１５の上下方向に関わらず表面における任意箇所に印刷を施してＱＲコード３を形成する。
【００２５】
このように、形状からその上下方向を明確に定め難いラベル１５の場合、対象物の種類やその貼付場所によってラベル１５に対するＱＲコード３の上下方向を適宜設定して形成することでラベル１５のデザイン性の向上に繋がり、広告ラベルとしての宣伝効果を高めることができる。さらに、本実施形態のラベル１５においてもアンテナ部分に平面視外方へと突出する突出部１６が形成されるため剥離シート５からのシール本体４の剥離を容易にすることができる。
【００２６】
また、図７に示すラベル１７のように、星座のデザインを採用することも可能である。この場合も、突出部３０が複数カ所に形成されることになるため、剥離シート５からの剥離が容易となる。
二次元コードとしてはＱＲコード３以外のものを適用してもよい。
【図面の簡単な説明】
【００２７】
【図１】本発明における第１実施形態に係る星型の二次元バーコード付シールを示す平面図である。
【図２】本発明における第１実施形態に係る二次元バーコード付シールのハート型のラベルを示す平面図である。
【図３】本発明における第１実施形態に係る二次元バーコード付シールの楕円形状のラベルを示す平面図である。
【図４】本発明における第１実施形態に係る二次元バーコード付シールのキャラクター形状のラベルを示す平面図である。
【図５】本発明における第１実施形態に係る二次元バーコード付シールの他の実施例を示す平面図である。
【図６】本発明における第２実施形態に係る二次元バーコード付シールを示す平面図である。
【図７】本発明における第２実施形態に係る二次元バーコード付シールの他の実施例を示す平面図である。
【符号の説明】
【００２８】
１，１４  バーコード付シール
２，９，１０，１１，１５，１７，１８  ラベル
３  ＱＲコード（二次元バーコード）
４，１９  シール本体
５  剥離シート
６，７，１６，２１，２２，２４，２６，２７，３０  突出部
【図１】
0003116339.tif 000003
【図２】
0003116339.tif 000004
【図３】
0003116339.tif 000005
【図４】
0003116339.tif 000006
【図５】
0003116339.tif 000007
【図６】
0003116339.tif 000008
【図７】
0003116339.tif 000009